【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
時間Ｔにおいて開始する第２の周波数（Ｆ２）上のアップリンクリソースをユーザ機器（ＵＥ）に対して割り振るために、第１の周波数（Ｆ１）上で送信されるべきアップリンク（ＵＬ）許可内に設定するためのリッスンビフォアトーク（ＬＢＴ）インジケーションのタイプを発展型ノードＢ（ｅＮＢ）によって決定することと、前記ＬＢＴタイプは、前記ＵＬ許可内に示される第１のＵＬサブフレームの前のしきいの時間内に、Ｆ２上に１つまたは複数の送信があるかどうかに基づく、
前記Ｆ２上の潜在的ダウンリンク送信と関連付けられた条件に対応するように、前記ＵＬ許可内に前記ＬＢＴインジケーションを前記ｅＮＢによって設定することと、
前記ＵＬ許可を前記ＵＥに前記ｅＮＢによって送信することと
を備える、方法。
【請求項２】
前記条件が、時間ＴpまでＦ２上で生じる前記潜在的ダウンリンク送信に対応し、ＴpがＴの前であり、ＴとＴpとの間の時間差分がしきい値より小さい、請求項１に記載の方法。
【請求項３】
前記ＬＢＴのタイプが、前記条件が時間Ｔにおいて満たされるならば第１のタイプのＬＢＴに、および前記条件が時間Ｔにおいて満たされないならば第２のタイプのＬＢＴに対応する、請求項１に記載の方法。
【請求項４】
前記第１のタイプのＬＢＴインジケーションが、
ＬＢＴなし、ワンショットＬＢＴ、またはショートＬＢＴのうちの少なくとも１つに対応し、前記第２のタイプのＬＢＴインジケーションがフルクリアチャネルアセスメント（ＣＣＡ）に対応する、または、
フルクリアチャネルアセスメント（ＣＣＡ）に対応し、前記第２のタイプのＬＢＴインジケーションがＬＢＴなし、ワンショットＬＢＴ、またはショートＬＢＴのうちの少なくとも１つに対応する、
請求項３に記載の方法。
【請求項５】
前記条件が、所定の時間窓の間に生じる前記潜在的ダウンリンク送信に対応し、前記所定の時間窓が時間Ｔと重複する、請求項１に記載の方法。
【請求項６】
Ｆ１およびＦ２が同じ周波数である、請求項１に記載の方法。
【請求項７】
ワイヤレス通信の方法であって、
発展型ノードＢ（ｅＮＢ）によって送信されたアップリンク（ＵＬ）許可を、第１の周波数（Ｆ１）上でユーザ機器（ＵＥ）によって受信することと、ここにおいて、前記ＵＬ許可が第２の周波数（Ｆ２）上でアップリンクリソースを前記ＵＥに対して割り振る、
前記ＵＬ許可内のリッスンビフォアトーク（ＬＢＴ）インジケーションのタイプを決定することと、ここにおいて、前記決定されたタイプのＬＢＴは、前記ＵＬ許可内に示される第１のＵＬサブフレームの前のしきいの時間内に、Ｆ２上に１つまたは複数の送信があるかどうかに基づく、
前記決定されたタイプのＬＢＴインジケーションに従ってＦ２にアクセスすることと、
前記ＵＬ許可に従ってＦ２上でＵＬ送信を実行することとを備える、方法。
【請求項８】
ＬＢＴインジケーションの前記タイプを決定することが、
ＬＢＴインジケータがＬＢＴなしを示すように設定されていると決定することを含み、Ｆ２にアクセスすることが、前記ＬＢＴインジケータがＬＢＴなしを示すように設定されていると決定したことに応答して、Ｆ２上でＬＢＴを実行することなく、Ｆ２上でＵＬ送信を実行することを含む、または、
ＬＢＴインジケータがワンショットＬＢＴを示すように設定されていると決定することを含み、Ｆ２にアクセスすることが、前記ＬＢＴインジケータがワンショットＬＢＴを示すように設定されていると決定したことに応答して、Ｆ２上でアップリンク送信を実行する前に、Ｆ２上でワンショットＬＢＴを実行することを含む、または、
ＬＢＴインジケータがＵＥ決定を示すように設定されていると決定することを含み、Ｆ２にアクセスすることが、Ｆ２上でＵＬ送信を実行する前に、および前記ＬＢＴインジケータがＵＥ決定を示すように設定されていると決定したことに応答して、Ｆ２上でワンショットＬＢＴを実行し、Ｆ２上の前記ワンショットＬＢＴが不成功であることが判明した場合に、引き続きＦ２上でフルクリアチャネルアセスメント（ＣＣＡ）を実行することを含む、または、
ＬＢＴインジケータがフルクリアチャネルアセスメント（ＣＣＡ）を示すように設定されていると決定することを含み、Ｆ２にアクセスすることが、前記ＬＢＴインジケータがフルＣＣＡを示すように設定されていると決定したことに応答して、Ｆ２上でＵＬ送信を実行する前に、Ｆ２上でフルＣＣＡを実行することを含む、請求項７に記載の方法。
【請求項９】
Ｆ１およびＦ２が同じ周波数である、請求項７に記載の方法。
【請求項１０】
ワイヤレス通信装置であって、
発展型ノードＢ（ｅＮＢ）によって送信されたアップリンク（ＵＬ）許可を、第１の周波数（Ｆ１）上でユーザ機器（ＵＥ）によって受信するための手段と、ここにおいて、前記ＵＬ許可が第２の周波数（Ｆ２）上でアップリンクリソースを前記ＵＥに対して割り振る、
前記ＵＬ許可内のリッスンビフォアトーク（ＬＢＴ）インジケーションのタイプを決定するための手段と、ここにおいて、前記決定されたタイプのＬＢＴは、前記ＵＬ許可内に示される第１のＵＬサブフレームの前のしきいの時間内に、Ｆ２上に１つまたは複数の送信があるかどうかに基づく、
前記決定されたタイプのＬＢＴインジケーションに従ってＦ２にアクセスするための手段と、
前記ＵＬ許可に従ってＦ２上でＵＬ送信を実行するための手段と
を備える、ワイヤレス通信装置。
【請求項１１】
ＬＢＴインジケーションの前記タイプを決定するための前記手段が、
ＬＢＴインジケータがＬＢＴなしを示すように設定されていると決定するための手段を含み、前記少なくとも１つのプロセッサが、前記ＬＢＴインジケータがＬＢＴなしを示すように設定されていると前記決定したことに応答して、Ｆ２上でＬＢＴを実行することなく、Ｆ２上でＵＬ送信を実行することによってＦ２にアクセスするように構成される、または、
ＬＢＴインジケータがワンショットＬＢＴを示すように設定されていると決定するための手段を含み、前記少なくとも１つのプロセッサが、前記ＬＢＴインジケータがワンショットＬＢＴを示すように設定されると前記決定したことに応答して、Ｆ２上でＵＬ送信を実行する前に、Ｆ２上でワンショットＬＢＴを実行することによってＦ２にアクセスするように構成される、または、
ＬＢＴインジケータがＵＥ決定を示すように設定されていると決定するための手段を含み、前記少なくとも１つのプロセッサが、Ｆ２上でＵＬ送信を実行する前に、および前記ＬＢＴインジケータがワンショットＬＢＴを示すように設定されていると前記決定したことに応答して、Ｆ２上でワンショットＬＢＴを実行し、Ｆ２上の前記ワンショットＬＢＴが不成功であることが判明した場合に、引き続きＦ２上でフルクリアチャネルアセスメント（ＣＣＡ）を実行することによってＦ２にアクセスするように構成される、または、
ＬＢＴインジケータがフルクリアチャネルアセスメント（ＣＣＡ）を示すように設定されていると決定するための手段を含み、前記少なくとも１つのプロセッサが、前記ＬＢＴインジケータがフルＣＣＡを示すように設定されていると前記決定したことに応答して、Ｆ２上でＵＬ送信を実行する前に、Ｆ２上でフルＣＣＡを実行することによってＦ２にアクセスするように構成される、請求項１０に記載のワイヤレス通信装置。
【請求項１２】
前記決定されたタイプのＬＢＴは、前記ＵＬ許可内に示される第１のＵＬサブフレームの前のしきいの時間内に、Ｆ２上に１つまたは複数の送信があるかどうかに基づく、請求項１０に記載のワイヤレス通信装置。
【請求項１３】
Ｆ１およびＦ２が同じ周波数である、請求項１０に記載のワイヤレス通信装置。
【請求項１４】
ワイヤレス通信装置であって、
時間Ｔにおいて開始する第２の周波数（Ｆ２）上のアップリンクリソースをユーザ機器（ＵＥ）に対して割り振るために、第１の周波数（Ｆ１）上で送信されるべきアップリンク（ＵＬ）許可内に設定するためのリッスンビフォアトーク（ＬＢＴ）インジケーションのタイプを発展型ノードＢ（ｅＮＢ）によって決定するための手段と、前記ＬＢＴタイプは、前記ＵＬ許可内に示される第１のＵＬサブフレームの前のしきいの時間内に、Ｆ２上に１つまたは複数の送信があるかどうかに基づく、
前記Ｆ２上の潜在的ダウンリンク送信と関連付けられた条件に対応するように、前記ＵＬ許可内に前記ＬＢＴインジケーションを前記ｅＮＢによって設定するための手段と、
前記ＵＬ許可を前記ＵＥに前記ｅＮＢによって送信するための手段と
を備える、ワイヤレス通信装置。
【手続補正２】
【補正対象書類名】明細書
【補正対象項目名】０１１１
【補正方法】変更
【補正の内容】
【０１１１】
[00123]本開示についての以上の説明は、いかなる当業者も本開示を作成または使用することができるように与えられたものである。本開示への様々な修正は当業者には容易に明らかになり、本明細書で定義された一般原理は、本開示の趣旨または範囲から逸脱することなく他の変形形態に適用され得る。したがって、本開示は、本明細書で説明した例および設計に限定されるものではなく、本明細書で開示する原理および新規の特徴に合致する最も広い範囲を与えられるべきである。
以下に本願の出願当初の特許請求の範囲に記載された発明を付記する。
[Ｃ１]  ワイヤレス通信の方法であって、
時間Ｔにおいて開始する第２の周波数（Ｆ２）上のアップリンクリソースをユーザ機器（ＵＥ）に対して割り振るために、第１の周波数（Ｆ１）上で送信されるべきアップリンク（ＵＬ）許可内に設定するためのリッスンビフォアトーク（ＬＢＴ）インジケーションのタイプを発展型ノードＢ（ｅＮＢ）によって決定することと、
前記Ｆ２上の潜在的ダウンリンク送信と関連付けられた条件に対応するように、前記ＵＬ許可内に前記ＬＢＴインジケーションを前記ｅＮＢによって設定することと、
前記ＵＬ許可を前記ＵＥに前記ｅＮＢによって送信することとを備える、方法。
[Ｃ２]  前記条件が、時間ＴpまでＦ２上で生じる前記潜在的ダウンリンク送信に対応し、ＴpがＴの前であり、ＴとＴpとの間の時間差分がしきい値より小さい、Ｃ１に記載の方法。
[Ｃ３]  前記ＬＢＴのタイプが、前記条件が時間Ｔにおいて満たされるならば第１のタイプのＬＢＴに、および前記条件が時間Ｔにおいて満たされないならば第２のタイプのＬＢＴに対応する、Ｃ１に記載の方法。
[Ｃ４]  前記第１のタイプのＬＢＴインジケーションがＬＢＴなし、ワンショットＬＢＴ、またはショートＬＢＴのうちの少なくとも１つに対応し、前記第２のタイプのＬＢＴインジケーションがフルクリアチャネルアセスメント（ＣＣＡ）に対応する、Ｃ３に記載の方法。
[Ｃ５]  前記第１のタイプのＬＢＴインジケーションがフルクリアチャネルアセスメント（ＣＣＡ）に対応し、前記第２のタイプのＬＢＴインジケーションがＬＢＴなし、ワンショットＬＢＴ、またはショートＬＢＴのうちの少なくとも１つに対応する、Ｃ３に記載の方法。
[Ｃ６]  前記第２のタイプのＬＢＴインジケーションがＬＢＴなしに対応する、Ｃ５に記載の方法。
[Ｃ７]  前記第２のタイプのＬＢＴインジケーションがワンショットＬＢＴに対応する、Ｃ５に記載の方法。
[Ｃ８]  前記潜在的ダウンリンク送信が、サービングｅＮＢもしくはｅＮＢのセットまたはＣｏＭＰセット内のＲＲＨからの送信に対応する、Ｃ３に記載の方法。
[Ｃ９]  前記条件が、時間ＴにおいてＦ２上で生じる前記潜在的ダウンリンク送信に対応する、Ｃ１に記載の方法。
[Ｃ１０]  前記条件が、所定の時間窓の間に生じる前記潜在的ダウンリンク送信に対応し、所定の時間窓が時間Ｔと重複する、Ｃ１に記載の方法。
[Ｃ１１]  Ｆ１およびＦ２が同じ周波数である、Ｃ１に記載の方法。
[Ｃ１２]  ワイヤレス通信の方法であって、
発展型ノードＢ（ｅＮＢ）によって送信されたアップリンク（ＵＬ）許可を、第１の周波数（Ｆ１）上でユーザ機器（ＵＥ）によって受信することと、ここにおいて、前記ＵＬ許可が第２の周波数（Ｆ２）上でアップリンクリソースを前記ＵＥに対して割り振る、  前記ＵＬ許可内のリッスンビフォアトーク（ＬＢＴ）インジケーションのタイプを決定することと、
前記決定されたタイプのＬＢＴインジケーションに従ってＦ２にアクセスすることと、  前記ＵＬ許可に従ってＦ２上でＵＬ送信を実行することとを備える、方法。
[Ｃ１３]  ＬＢＴインジケーションの前記タイプを決定することが、ＬＢＴインジケータがＬＢＴなしを示すように設定されていると決定することを含み、Ｆ２にアクセスすることが、前記ＬＢＴインジケータがＬＢＴなしを示すように設定されていると決定したことに応答して、Ｆ２上でＬＢＴを実行することなく、Ｆ２上でＵＬ送信を実行することを含む、Ｃ１２に記載の方法。
[Ｃ１４]  ＬＢＴインジケーションの前記タイプを決定することが、ＬＢＴインジケータがワンショットＬＢＴを示すように設定されていると決定することを含み、Ｆ２にアクセスすることが、前記ＬＢＴインジケータがワンショットＬＢＴを示すように設定されていると決定したことに応答して、Ｆ２上でアップリンク送信を実行する前に、Ｆ２上でワンショットＬＢＴを実行することを含む、Ｃ１２に記載の方法。
[Ｃ１５]  ＬＢＴインジケーションの前記タイプを決定することが、ＬＢＴインジケータがＵＥ決定を示すように設定されていると決定することを含み、Ｆ２にアクセスすることが、Ｆ２上でＵＬ送信を実行する前に、および前記ＬＢＴインジケータがＵＥ決定を示すように設定されていると決定したことに応答して、Ｆ２上でワンショットＬＢＴを実行し、Ｆ２上の前記ワンショットＬＢＴが不成功であることが判明した場合に、引き続きＦ２上でフルクリアチャネルアセスメント（ＣＣＡ）を実行することを含む、Ｃ１２に記載の方法。
[Ｃ１６]  ＬＢＴインジケーションの前記タイプを決定することが、ＬＢＴインジケータがフルクリアチャネルアセスメント（ＣＣＡ）を示すように設定されていると決定することを含み、Ｆ２にアクセスすることが、前記ＬＢＴインジケータがフルＣＣＡを示すように設定されていると決定したことに応答して、Ｆ２上でＵＬ送信を実行する前に、Ｆ２上でフルＣＣＡを実行することを含む、Ｃ１２に記載の方法。
[Ｃ１７]  前記決定されたタイプのＬＢＴが、第１のＵＬサブフレームが前記ＵＬ許可内に示される前のしきいの時間内に、Ｆ２上に１つまたは複数の送信があるかどうかに基づく、Ｃ１２に記載の方法。
[Ｃ１８]  Ｆ１およびＦ２が同じ周波数である、Ｃ１２に記載の方法。
[Ｃ１９]    発展型ノードＢ（ｅＮＢ）によって送信されたアップリンク（ＵＬ）許可を、第１の周波数（Ｆ１）上でユーザ機器（ＵＥ）によって受信すること、ここにおいて、前記ＵＬ許可が第２の周波数（Ｆ２）上でアップリンクリソースを前記ＵＥに対して割り振る、    前記ＵＬ許可内のリッスンビフォアトーク（ＬＢＴ）インジケーションのタイプを決定すること、
前記決定されたタイプのＬＢＴインジケーションに従ってＦ２にアクセスすること、および
前記ＵＬ許可に従ってＦ２上でＵＬ送信を実行すること
を行うように構成された少なくとも１つのプロセッサと、
前記少なくとも１つのプロセッサに結合された少なくとも１つのメモリとを備える、ワイヤレス通信装置。
[Ｃ２０]  前記少なくとも１つのプロセッサが、ＬＢＴインジケータがＬＢＴなしを示すように設定されていると決定することによって、ＬＢＴインジケーションの前記タイプを決定するように構成され、前記少なくとも１つのプロセッサが、前記ＬＢＴインジケータがＬＢＴなしを示すように設定されていると前記決定したことに応答して、Ｆ２上でＬＢＴを実行することなく、Ｆ２上でＵＬ送信を実行することによってＦ２にアクセスするように構成される、Ｃ１９に記載のワイヤレス通信装置。
[Ｃ２１]  前記少なくとも１つのプロセッサが、ＬＢＴインジケータがワンショットＬＢＴを示すように設定されていると決定することによって、ＬＢＴインジケーションの前記タイプを決定するように構成され、前記少なくとも１つのプロセッサが、前記ＬＢＴインジケータがワンショットＬＢＴを示すように設定されると前記決定したことに応答して、Ｆ２上でＵＬ送信を実行する前に、Ｆ２上でワンショットＬＢＴを実行することによってＦ２にアクセスするように構成される、Ｃ１９に記載のワイヤレス通信装置。
[Ｃ２２]  前記少なくとも１つのプロセッサが、ＬＢＴインジケータがＵＥ決定を示すように設定されていると決定することによって、ＬＢＴインジケーションの前記タイプを決定するように構成され、前記少なくとも１つのプロセッサが、Ｆ２上でＵＬ送信を実行する前に、および前記ＬＢＴインジケータがワンショットＬＢＴを示すように設定されていると前記決定したことに応答して、Ｆ２上でワンショットＬＢＴを実行し、Ｆ２上の前記ワンショットＬＢＴが不成功であることが判明した場合に、引き続きＦ２上でフルクリアチャネルアセスメント（ＣＣＡ）を実行することによってＦ２にアクセスするように構成される、Ｃ１９に記載のワイヤレス通信装置。
[Ｃ２３]  前記少なくとも１つのプロセッサが、ＬＢＴインジケータがフルクリアチャネルアセスメント（ＣＣＡ）を示すように設定されていると決定することによって、ＬＢＴインジケーションの前記タイプを決定するように構成され、前記少なくとも１つのプロセッサが、前記ＬＢＴインジケータがフルＣＣＡを示すように設定されていると前記決定したことに応答して、Ｆ２上でＵＬ送信を実行する前に、Ｆ２上でフルＣＣＡを実行することによってＦ２にアクセスするように構成される、Ｃ１９に記載のワイヤレス通信装置。
[Ｃ２４]  前記決定されたタイプのＬＢＴが、第１のＵＬサブフレームが前記ＵＬ許可内に示される前のしきいの時間内に、Ｆ２上に１つまたは複数の送信があるかどうかに基づく、Ｃ１９に記載のワイヤレス通信装置。
[Ｃ２５]  Ｆ１およびＦ２が同じ周波数である、Ｃ１９に記載のワイヤレス通信装置。
[Ｃ２６]  ワイヤレス通信の方法であって、
発展型ノードＢ（ｅＮＢ）からアップリンク（ＵＬ）許可をユーザ機器（ＵＥ）によって受信することと、
前記ＵＬ許可が、第１の開始位置と第２の開始位置とを含む２つ以上の開始位置に対して有効であることのインジケーションを、前記ＵＥによって前記ｅＮＢから受信することと、
前記第１の開始位置を使用してＵＬ送信を実行するためにチャネルを適時に獲得することを前記ＵＥによって試みることと、
前記第１の開始位置を使用してＵＬ送信を実行するために前記チャネルを適時に獲得する前記試みが成功しなかったと、前記ＵＥによって決定することと、
前記ＵＥによって、および前記第１の開始位置を使用してＵＬ送信を実行するために前記チャネルを適時に獲得する前記試みが成功しなかったと決定したことに応答して、前記第２の開始位置を使用してＵＬ送信を実行するために前記チャネルを適時に獲得することを試みることとを備える、方法。
[Ｃ２７]  前記２つ以上の開始位置の最大数を、前記ＵＥによって決定することと、
送信を開始することを試みる前記２つ以上の開始位置の数を開始位置の前記最大数に制限することとをさらに備える、Ｃ２６に記載の方法。
[Ｃ２８]  開始位置の前記最大数を決定することが、前記ＵＬ許可または無線リソース制御（ＲＲＣ）メッセージのうちの少なくとも１つの中で通信される開始位置の前記最大数を観測することを含む、Ｃ２６に記載の方法。